(57)【特許請求の範囲】
【請求項１】
開口を有する棺桶本体とこの棺桶本体の開口を塞ぐ蓋体とを備え、蓋体の裏面中央には支持棒の一端が取り付けられ、支持棒の他端には蓋体の長手方向に延びる中央支持板が取り付けられ、蓋体の裏面側部には前記支持棒よりも長い支持棒の一端が取り付けられ、この長い支持棒の他端には蓋体の長手方向に延びる側部支持板が取り付けられ、中央支持板と側部支持板とに跨って板状の蓄冷剤が着脱自在に設置され、この蓄冷剤で前記棺桶本体内を冷却すると共に、棺桶本体の底壁には底壁内面のほぼ全域に広がり、蓄冷材の低くなった側縁部または側部支持板から滴下した結露水を受けるドレンパンが配置されることを特徴とする保冷棺桶。
【請求項２】
前記棺桶本体及び／又は蓋体を構成する壁部に断熱材を装着したことを特徴とする請求項１記載の保冷棺桶。
【発明の詳細な説明】
【０００１】
【発明の属する技術分野】
本発明は、棺桶内に収容した遺体を冷却できる保冷棺桶に関する。
【０００２】
【従来の技術】
一般に、棺桶内に収容された遺体を冷却する手段としてドライアイスを棺桶内に配置した保冷棺桶が知られている。
【０００３】
この保冷棺桶では、ドライアイスから生じる冷気で遺体を冷却し、遺体の腐敗の進行を抑制していた。
【０００４】
【発明が解決しようとする課題】
しかしながら、上述の保冷棺桶ではドライアイスが極めて低温であるので、遺体を局部的に冷却したり、ドライアイスが接触している外壁面に極度な結露が発生するという問題がある。
【０００５】
また、ドライアイスが棺桶内に配置されていると、例えば生花を遺体の周囲に飾る時に違和感を生じるおそれがある。
【０００６】
また、ドライアイスは使い捨てであるので、高コストであるという問題がある。
【０００７】
そこで、本発明の目的は、上述した従来の技術が有する課題を解消し、棺桶の外壁面に結露が発生しにくく、違和感を与えることが少なく、低コストで容易に棺桶内を保冷できる保冷棺桶を提供することにある。
【０００８】
【課題を解決するための手段】
上記課題を解決するために、請求項１記載の発明は、開口を有する棺桶本体とこの棺桶本体の開口を塞ぐ蓋体とを備え、蓋体の裏面中央には支持棒の一端が取り付けられ、支持棒の他端には蓋体の長手方向に延びる中央支持板が取り付けられ、蓋体の裏面側部には前記支持棒よりも長い支持棒の一端が取り付けられ、この長い支持棒の他端には蓋体の長手方向に延びる側部支持板が取り付けられ、中央支持板と側部支持板とに跨って板状の蓄冷剤が着脱自在に設置され、この蓄冷剤で前記棺桶本体内を冷却すると共に、棺桶本体の底壁には底壁内面のほぼ全域に広がり、蓄冷材の低くなった側縁部または側部支持板から滴下した結露水を受けるドレンパンが配置されることを特徴とするものである。
【０００９】
この発明によれば、棺桶本体及び／又は蓋体に例えばドライアイスの温度に比べて温度が高い蓄冷剤を設けて棺桶本体内を冷却するので、遺体の局部的な冷却を防止できると共に、棺桶の外壁上に発生する結露を抑制できる。また、蓄冷剤を着脱自在に設けているので、蓄冷剤の再使用が可能であり、低コスト化を図ることができる。
【００１０】
請求項２記載の発明は、請求項１記載の発明において、前記棺桶本体及び／又は蓋体を構成する壁部に断熱材を装着したことを特徴とするものである。
【００１１】
この発明によれば、棺桶内で発生した結露水がドレンパンに回収されるので、棺桶本体や蓋体が結露水で濡れない。
【００１３】
この発明によれば、蓋体の裏に配設した蓄冷剤で発生した結露水は蓄冷剤を伝って棺桶本体の側壁の方に移動するので、棺桶本体の中央に収容された遺体に結露水が直接滴下しない。
【００１５】
この発明によれば、棺桶本体及び／又は蓋体を構成する壁面に真空断熱材を装着したので、棺桶内の冷気が棺桶外部に流出しにくくなり、棺桶内の冷却効率を向上させることができる。
【００１６】
【発明の実施の形態】
以下、本発明の実施形態について図面を参照して説明する。
【００１７】
符号１は保冷棺桶を示し、この保冷棺桶１は上面に開口を有する木製の棺桶本体３を備え、この棺桶本体３は、対向する長側壁５ａと対向する短側壁５ｂと底壁７（図２）とからなる。また、保冷棺桶１は、棺桶本体３の開口を塞ぐ木製の蓋体９を備え、この蓋体９には観音開き式の扉１１が設けられる。
【００１８】
蓋体９の裏面中央には、図２に示すように、支持棒１３の一端が取り付けられ、この支持棒１３が蓋体９の長手方向に向けて複数本並設され、これら支持棒１３の他端には中央支持板１５が取り付けられ、この中央支持板１５は蓋体９の長手方向に延びている。また、蓋体９の裏面側部には前記支持棒１３よりも長い支持棒１７の一端が取り付けられ、この支持棒１７が蓋体９の長手方向に向けて複数本並設され、これら支持棒１７の他端には側部支持板１９が取り付けられ、この側部支持板１９は蓋体９の長手方向に延びている。
【００１９】
本実施形態では、前記中央支持板１５と前記側部支持板１９とに跨って板状の蓄冷剤２１が着脱自在に設置される。
【００２０】
蓄冷剤２１は、側部支持板１９が中央支持板１５より下方に位置するため長側壁５ａに向かうにつれて下方に傾斜している。蓄冷剤２１は、冷却能力がなくなっても例えば冷凍庫（図示せず）で凍結させれば、再び冷却可能な状態になり、再使用が可能である。蓄冷剤２１は、例えば板状の硬質プラスティックケースの内部にゲル状の蓄冷液が封入されて構成される。
【００２１】
底壁７には底壁内面のほぼ全域に広がるドレンパン２３が配置される。
【００２２】
保冷棺桶１に遺体２５が収容された時に、蓄冷剤２１によって保冷棺桶１内が冷却される。このとき蓄冷剤２１の温度が保冷棺桶１内の空気の温度より低いので、蓄冷剤２１に結露が生じることがある。
【００２３】
本実施形態では、蓄冷剤２１は長側壁５ａに向かうにつれて下方に傾斜しているので、発生した結露水は蓄冷剤２１を伝って長側壁５ａに向けて移動し、蓄冷剤２１の側縁部又は側部支持板１９から矢印Ａ方向に滴下する。滴下した結露水はドレンパン２３の長側壁５ａ寄りの領域２３ａに溜まる。尚、図示を省略したが、ドレンパン２３の長側壁５ａ寄りの領域２３ａを遺体２５が配置される中央の領域２３ｂより低く形成すれば、滴下した結露水が中央の領域２３ｂに移動しにくくなる。
【００２４】
この実施形態では、蓄冷剤２７を蓋体９の裏面にのみ設けているので、例えば生花を遺体２５の周囲に飾る時に蓄冷剤２７が見えず、違和感が生じないという効果を奏する。
【００２５】
他の実施形態として、図３に示すように側壁５（長側壁５ａ及び短側壁５ｂ）の内面に硬質プラスティックケースの内部に蓄冷液を封入した蓄冷剤２７を設置してもよい。この蓄冷剤２７の支持構造の一例として、図４に示すように、側壁５の内面に曲折部材２９を蓄冷剤２７の幅より少し大きい間隔を空けて且つ対向させて取り付け、これら曲折部材２９の間に蓄冷剤２７を収納する。この構成では、蓄冷剤２７を上下方向にスライドさせれば着脱を行うことができる。尚、ドレンパン２３は蓄冷剤２７の下方まで延びているので、蓄冷剤２７で発生する結露水をドレンパン２３で回収できる。
【００２６】
更に他の実施形態として、図５に示すように、側壁５の内面及び底壁７の内面（ドレンパン２３の下）のほぼ全域に亘って板状の真空断熱材３１を装着してもよい。この真空断熱材３１は、例えば、金属コーティングしたプラスティックフィルム等で形成された袋体の内部に連通気泡の発泡ウレタンを装填し、この袋体内部を真空引きして製造される。このように、側壁５の内面及び底壁７の内面に真空断熱材３１を装着すれば、保冷棺桶１内の冷気が棺桶外部に流出しにくくなり、保冷棺桶１内の冷却効率が向上する。
【００２７】
上述の実施形態によれば、冷凍庫等で凍結させれば再使用できる蓄冷剤２１を棺桶１内に着脱自在に設けたので、例えばドライアイスのような使い捨てのものに比べて、低コスト化を図ることができる。
【００２８】
また、蓄冷剤２１の温度は例えばドライアイスの温度に比べて高いので、遺体２５の局部的な冷却を防止できると共に、棺桶１の外壁面に発生する結露を抑制できる。
【００２９】
また、蓋体９に設置した蓄冷剤２１で発生した結露水は、蓄冷剤２１を伝って棺桶本体３の短側壁５ａの近傍まで移動してから滴下するので、棺桶本体３の中央に収容される遺体２５に結露水が直接滴下しないという効果を奏する。
【００３０】
以上、本発明の実施形態を説明したが、本発明はこれに限定されるものではない。本実施形態では蓄冷剤２１，２７として硬質プラスティックケースの内部に蓄冷液を封入しているものを用いているが、例えば軟質のビニールに蓄冷液を封入したものを用いてもよい。また、図５に係る実施形態では真空断熱材３１を用いているが、その他の断熱材を用いてもよい。
【００３１】
【発明の効果】
請求項１記載の発明によれば、棺桶本体及び／又は蓋体に例えばドライアイスの温度に比べて温度が高い蓄冷剤を設けて棺桶本体内を冷却するので、遺体の局部的な冷却を防止できると共に、棺桶の外壁上に発生する結露を抑制できる。また、蓄冷剤を着脱自在に設けているので、蓄冷剤の再使用が可能であり、低コスト化を図ることができる。
【００３２】
また、棺桶本体の底部に前記蓄冷剤からの結露水を受けるドレンパンを設けたので、棺桶内で発生した結露水がドレンパンに回収され、棺桶本体や蓋体が結露水で濡れない。
【００３３】
さらに、蓋体の裏に蓄冷剤を配設し、この蓄冷剤を棺桶本体の側壁に向けて下方に傾斜させたので、蓄冷剤で発生した結露水は蓄冷剤を伝って棺桶本体の側壁の方に移動するので、棺桶本体の中央に収容された遺体に結露水が直接滴下しない。
【００３４】
請求項２記載の発明によれば、棺桶本体及び／又は蓋体を構成する壁部に断熱材を装着したので、棺桶内の冷気が棺桶外部に流出しにくくなり、棺桶内の冷却効率を向上させることができる。
【図面の簡単な説明】
【図１】本発明の一実施形態による保冷棺桶を示す斜視図である。
【図２】一実施形態による保冷棺桶の内部構造を示す断面図である。
【図３】他の実施形態による保冷棺桶の内部構造を示す断面図である。
【図４】他の実施形態による保冷棺桶の側壁に装着される蓄冷剤の支持構造を示す断面図である。
【図５】更に他の実施形態による保冷棺桶の内部構造を示す断面図である。
【符号の説明】
１  保冷棺桶
３  棺桶本体
９  蓋体
１３，１７  支持棒
１５  中央支持板
１９  側部支持板
２１  蓄冷剤
３１  真空断熱材
【図１】
0004148578.tif 000002
【図２】
0004148578.tif 000003
【図３】
0004148578.tif 000004
【図４】
0004148578.tif 000005
【図５】
0004148578.tif 000006